(57)【要約】束に形成するために高温で巻取られており、かつ熱シールド装置（７）により、コイル正面（５ａ；５ｂ）において、巻取りおよび／または巻戻しステーション（６）の領域内でさらなる冷却から保護される、粗金属ストリップ、特に鋼ストリップ用の、粗圧延ラインと仕上げ圧延ラインとの間に設けられたコイルボックスは、熱シールド装置（７）が旋回可能にコイル正面（５ａ；５ｂ）に立てかけ可能な側壁（８ａ；８ｂ）から形成されており、かつ形成された側壁対において、互いに相対している熱シールド装置（７）が様々なコイル幅（５ｃ）に平行に調節可能であることにより、自在に形成できる。
2005533655.tif 000002
【特許請求の範囲】
【請求項１】
束に形成するために高温で巻取られており、かつ熱シールド装置により、コイル正面において、巻取りおよび／または巻戻しステーションの領域内で付加的冷却から保護される、粗金属ストリップ、特に鋼ストリップ用の、粗圧延ラインと仕上げ圧延ラインとの間に設けられたコイルボックスにおいて、
熱シールド装置（７）が旋回可能にコイル正面（５ａ；５ｂ）に立てかけ可能な側壁（８ａ；８ｂ）から形成されており、かつ形成された側壁対において、互いに相対している熱シールド装置（７）が様々なコイル幅（５ｃ）に平行に調節可能であることを特徴とするコイルボックス。
【請求項２】
熱シールド装置（７）が各々逆方向に駆動可能なピストンシリンダユニット（１０）により、コイル正面（５ａ；５ｂ）に立てかけ可能であることを特徴とする請求項１記載のコイルボックス。
【請求項３】
熱シールド装置（７）が各々コイル側（１１；１２）毎にユニット（１５）として旋回駆動機構（１３）により巻戻しステーション（６）の領域から旋回可能であることを特徴とする請求項１または２に記載のコイルボックス。
【請求項４】
後方のコイル側（１１）では、熱シールド装置（７）が旋回駆動機構（１３）により水平旋回軸線（１３ｂ）を中心にして円軌道（１３ｃ）上の垂直平面内で、そして前方のコイル側（１２）では、熱シールド装置（７）が旋回駆動機構（１３）により垂直旋回軸線（１３ａ）を中心にして水平円軌道（１４）上で外側へ旋回可能であるかあるいは元の方向へ旋回可能であることを特徴とする請求項１〜３のいずれか一つに記載のコイルボックス。
【請求項５】
側壁（８ａ；８ｂ）がドア状に形成されており、かつ各々旋回駆動機構（１３）により旋回して離間可能であるかあるいは閉鎖可能であることを特徴とする請求項１〜４のいずれか一つに記載のコイルボックス。
【請求項６】
コイル側（１１；１２）毎につき外側へ旋回可能な熱シールド装置（７）が、各々液圧式の旋回駆動機構（１３）、ピストンシリンダユニット（１０）の片持ちアーム（１６）、旋回レバー（１７）、架橋枠（１８）および各々の側壁（８ａ；８ｂ）から成り、この場合ユニット（１５）が横方向に延びている枠（１９）に支承されていることを特徴とする請求項１〜５のいずれか一つに記載のコイルボックス。
【請求項７】
巻戻しステーション（６）において、圧延ラインの中心（９）に対して横方向に延びる横枠（１９）に、各々外側へ突出していて、各々ピストンシリンダユニット（１０）のシリンダ（１０ａ）が枢着されている担持体（２０）が固定されていること、
所属するピストンロッド（１０ｂ）が、横枠（１９）に枢着するように支承されている旋回レバー（２１）にほぼ中心で把持していること、
および旋回レバー（２１）の端部（２１ａ）において、例えば側壁（８ａ；８ｂ）の長さに渡って延在していて、各々の側壁（８ａ；８ｂ）が複数の支持位置（２３）に固定されている架橋枠（２２）が、枢着するように固定されていることを特徴とする請求項１〜６のいずれか一つに記載のコイルボックス。
【請求項８】
側壁（８ａ；８ｂ）が高温側（２４）で外側でフィルム状の鋼皮膜（２６）を備えた絶縁物（２５）で被覆されていることを特徴とする請求項１〜７のいずれか一つに記載のコイルボックス。
【請求項９】
フィルム状の鋼皮膜（２６）が約０．０５ｍｍ〜０．３ｍｍの厚さを有していることを特徴とする請求項８記載のコイルボックス。
【請求項１０】
側壁（８ａ；８ｂ）に対して付加的に、および側壁に引続いて巻戻しステーション（６）上にて対で、安定装置（２７）が絶縁物（２５）を備え、巻取りステーション（１）上で同様に対で安定装置（２８）が絶縁物（２５）を備えていることを特徴とする請求項１〜８のいずれか一つに記載のコイルボックス。
【発明の詳細な説明】
【技術分野】
【０００１】
本発明は、束に形成するために高温で巻取られており、かつ熱シールド装置により、コイル正面において、巻取りおよび／または巻戻しステーションの領域内で付加的冷却から保護される粗金属ストリップ、特に鋼ストリップ用の、粗圧延ラインと仕上げ圧延ラインとの間に設けられたコイルボックスに関する。
【背景技術】
【０００２】
このようなコイルボックスは、特許文献１から公知である。そこでは、高温の金属材料を第一の巻取り設備内で巻取るために、側壁が無芯の巻取り工程のために設けられている。それに続いて、鋼ストリップを仕上げ圧延ラインへ案内する巻戻しステーションが接続している。熱シールド側壁は、同じ間隔が必要な、無芯の巻取りあるいは巻戻し装置と連結されている。熱シールド装置は、反射する内側表面を備えている。このような熱シールド装置は、巻取りステーションにおいても、巻戻しステーションにおいても使用される。その際、コイル正面の十分な被覆が常に達せられるとは限らない。
【特許文献１】ヨーロッパ特許出願第０５０７８００号明細書
【発明の開示】
【発明が解決しようとする課題】
【０００３】
本発明の根底をなす課題は、前述の圧延ラインにおいて加工されるコイル寸法をさらに変更するための、このような熱シールド装置を提供することである。
【課題を解決するための手段】
【０００４】
上記課題は、本発明により、熱シールド装置が旋回可能にコイル正面に立てかけ可能な側壁から形成されており、それと共に、形成された側壁対において、互いに相対している熱シールド装置が、様々なコイル幅に平行に調節可能であることにより解決される。コイルボックスの巻取りステーションの領域において、熱シールド装置はストリップ縁部とストリップ中心部の間の温度差を縮小し、かつストリップ中心部においてストリップ長さに渡り熱分布を保持することに役立つ。それにより、粗ストリップが仕上げ圧延ライン内に走入する前に、粗ストリップにおける優れた熱分布が得られ、したがって最終製品の優れた品質が得られる。同時に、全く異なる幅の金属ストリップを保護することができる。
【０００５】
実施形態においては、熱シールド装置が各々逆方向に駆動可能なピストンシリンダユニットにより、コイル正面に立てかけ可能である。それにより、ストリップ縁部と側壁間の空域はできるだけ狭く保持することができる。
【０００６】
費用のかかる手段により、巻戻しステーションへのアクセスが阻害されることは全く必要ない。熱シールド装置の旋回性の原理は、熱シールド装置が各々コイル側毎にユニットとして旋回駆動機構により巻戻しステーションの領域から外側へ旋回可能であることに利用できる。
【０００７】
さらに、圧延ライン内における状況を考慮すると、後方のコイル側では、熱シールド装置が旋回駆動機構により水平旋回軸線を中心にして円軌道上の垂直平面内で、そして前方のコイル側では、熱シールド装置が旋回駆動機構により垂直旋回軸線を中心にして水平円軌道上で外側かあるいは元の方向へ旋回可能であることは有利である。
【０００８】
他の実施形態によれば、側壁がドア状に形成されており、かつ各々旋回駆動機構により旋回して離間可能であるかあるいは閉鎖可能である。それと同時に、故障の場合巻取られたコイルをＣ形フックによりコイルボックスから取外すために、この長所が関連している。さらにドアに類似して形成されているので、保守作業を容易に行うことができる。
【０００９】
さらに実施形態によれば、コイル側毎に外側に旋回可能な熱シールド装置が、各々液圧式の旋回駆動機構、ピストンシリンダユニットの片持ちアーム、旋回レバー、架橋枠および各々の側壁から成り、この場合ユニットが横方向に延びている枠に支承されている。したがってユニットは後になってもなお巻戻しステーションに設けることができる。
【００１０】
側壁を平行に調節することは、他の特徴によれば、巻戻しステーションにおいて、圧延ラインの中心に対して横方向に延びる横枠に、各々外側へ突出していて、各々ピストンシリンダユニットのシリンダが枢着されている片持ちアームが固定されていること、
所属するピストンロッドが、枠に枢着により支承されている旋回レバーにほぼ中心で把持していること、
および旋回レバーの端部において、例えば側壁の長さに渡って延在していて、各々の側壁が複数の支持位置に固定されている架橋枠が、枢着するように固定されていることにより構成されている。
【００１１】
行われた測定に基づき、側壁が高温側で外部でフィルム状の鋼皮膜を備えた絶縁材料で被覆されていることがさらに有利である。鋼フィルムは明らかに急速に熱くなる。さらに鋼皮膜の絶縁材料との直接の接触に基づき、絶縁材料はより急速に熱せられる。熱シールド部の内側表面温度が高くなるほど、絶縁作用が一層強くなるので、フィルムを備えた熱シールド部は、このフィルムを備えていない絶縁部よりも迅速に完全な絶縁が達せられる。
【００１２】
しかしながら、フィルムがあまりにも厚く選択されると積極的な作用は失われる。ほんの０．５ｍｍの厚さの金属膜は、もはや識別可能な作用を有していない。このような認識に基づき、フィルム状の鋼皮膜は約０．０５ｍｍ〜０．３ｍｍの、好ましくは０．１ｍｍの厚さを有している。
【００１３】
なお本発明の改善点は、側壁に対して付加的に、および側壁に引続いて巻戻しステーション上で対の安定装置が絶縁材料を備え、巻取りステーション上で同様に対の安定装置が絶縁材料を備えていることを示している。同時に、それにより絶縁がなお効果的になる場合には、絶縁材料上で、フィルム状の鋼皮膜が使用できる。さらにそれにより、コイルの正面はより良好に絶縁することができる。
【発明を実施するための最良の形態】
【００１４】
本発明の実施例を図で示し、以下に詳細に説明する。
【実施例】
【００１５】
図１において、粗圧延ラインと仕上げ圧延ラインとの間にコイルボックスが設けられており、このコイルボックスは入口ローラ２と、曲げローラ３と矯正ローラ４を経てコイル５が巻取られる巻取りステーション１を備えている。コイル５は巻戻しステーション６内にある。巻戻しステーション６において、コイル５は図の平面内にある両方のコイル正面５ａ，５ｂにおいて、および巻戻しステーション６の領域内の熱シールド装置７により、付加的な冷却から保護される。
【００１６】
さらに熱シールド装置７は旋回可能にコイル正面５ａ，５ｂに立てかけ可能な側壁８ａ，８ｂから形成されており、形成された対内で互いに相対している熱シールド装置７は、様々なコイル幅５ｃ（最大と最小のコイル幅）に平行に調節可能である。側壁８ａ，８ｂは圧延ラインの中心９に対して各々対称に案内されている。
【００１７】
図３によれば、熱シールド装置７は各々逆方向に駆動可能なピストンシリンダユニット１０により、コイル正面５ａ，５ｂに立てかけられる。
【００１８】
図２において、前方のコイル側１１で、ユニット１５全体が、図２の下側の部分に示すように、（液圧式の）旋回駆動機構１３により、垂直旋回軸線１３ａを中心にして、水平な円軌道１４上で水平に外側へ旋回可能であるかあるいは元の方向へ旋回可能である。旋回駆動機構１３の旋回軸線は図の平面に対して垂直に延びている。
【００１９】
同様に、後方のコイル側１１で、熱シールド装置７が、旋回駆動機構１３により、水平旋回軸線１３ｂを中心にして、垂直平面内で外側に旋回可能かあるいは再度元に旋回可能である。
【００２０】
側壁８ａ，８ｂは例えば図示したようにドア状に形成可能であり、かつ旋回駆動機構１３により、開閉のために円軌道１４上の垂直旋回軸線１３ａ上で旋回可能である。
【００２１】
その際、外側に旋回可能な熱シールド装置７のユニット１５全体は、旋回駆動機構１３、ピストンシリンダユニット１０の片持ちアーム１６、旋回レバー１７、架橋枠１８、および各々の側壁８ａ，８ｂとから成り、この場合ユニット１５が横方向に延びている枠１９に支承されている（図１を参照のこと）。
【００２２】
図３によれば、巻戻しステーション６内で、圧延ラインの中心９に対して横方向に延びる横枠１９に、各々外側へ突出している担持体２０が固定されている。ピストンシリンダユニット１０のシリンダ１０ａは、枢着するように担持体２０と連結している。所属するピストンロッド１０ｂは横枠１９と連結した旋回レバー２１において、同様に枢着するように接続されており、この場合作用点は中心にあってもよい。旋回レバー１９の端部２１ａには、例えば側壁８ａ，８ｂの長さに渡って延在している架橋枠２２が枢着するように固定されており、その一方で架橋枠２２には支持位置２３が側壁８ａ，８ｂへの連結部として形成されている。
【００２３】
側壁８ａ，８ｂは、高温側２４で絶縁材料２５により被覆されており、この絶縁材料２５はフィルム状の鋼皮膜２６により被覆されている。鋼皮膜２６は約０．１ｍｍの厚さがあり、かつわずかに厚いかあるいは薄くてもよい。
【００２４】
なお同時に、補足的には、側壁８ａ；８ｂに対して付加的に、およびこの側壁に引き続いて巻戻しステーション６上で対の安定装置２７が絶縁材料２５を備え、巻取りステーション１上で同様に対の安定装置２８が絶縁材料２５を備えている（図１）。さらに、絶縁材料２５がフィルム状の金属膜２６で被覆されているのは実用的である。
【図面の簡単な説明】
【００２５】
【図１】圧延ラインのコイルボックスを収容する部分の側面図である。
【図２】図１による、方向“Ｘ”における設備の平面図である。
【図３】図１による断面Ａ−Ａである。
【符号の説明】
【００２６】
１        巻取りステーション
２        入口ローラ
３        曲げローラ  
４        矯正ローラ
５        コイル
５ａ      コイル正面
５ｂ      コイル正面
５ｃ      コイル幅
６        巻戻しステーション
７        熱シールド装置
８ａ      側壁
８ｂ      側壁
９        圧延ラインの中心
１０      ピストンシリンダユニット
１０ａ    シリンダ
１０ｂ    ピストンロッド
１１      コイル側
１２      コイル側
１３      旋回駆動機構
１３ａ    垂直旋回軸線
１３ｂ    水平旋回軸線
１３ｃ    開口角度の円軌道
１４      円軌道
１５      ユニット
１６      片持ちアーム
１７      旋回レバー
１８      架橋枠
１９      横枠
２０      担持体
２１      旋回レバー
２１ａ    旋回レバーの端部
２２      架橋枠
２３      支持位置
２４      高温側
２５      絶縁材料
２６      鋼皮膜
２７      巻戻しステーションの安定装置
２８      巻戻しステーションの安定装置
【図１】
2005533655.tif 000003
【図２】
2005533655.tif 000004
【図３】
2005533655.tif 000005
【国際調査報告】
2005533655.tif 000006
2005533655.tif 000007
2005533655.tif 000008
2005533655.tif 000009